(57)【要約】【課題】  車載用プッシュリフターに関し、内部に浸入した水を水抜き部を通じて排水可能とする。【解決手段】  ケース（例えばケース本体90）の下部(95)には、周壁（例えば内周壁110）、底壁(111)、底壁(111)の中心に開口するエア抜き部(114)を備える。キャップ(100)には、底壁(111)と対向して離れて位置し、当該底壁(111)との間にエア抜き部(114)と連通する第１エア流路(130)を形成する底部(120)、底部(120)に連続して周壁（例えば内周壁110）から離れて位置し、当該周壁（例えば内周壁110）との間に、第１エア流路(130)と連通する第２エア流路(131)を形成する筒形の側部(121)、車体側に対するケース（例えばケース本体90）の取り付け状態において下側に位置し、第２エア流路(131)と連通するとともに、底部(120)に向かって開口する水抜き部(122)を備える。【選択図】    図１
2019147511.tif 000002
【特許請求の範囲】
【請求項１】
フューエルリッドに対向する車体側に固定され、前記フューエルリッドを車外に向かって押し開くプッシュリフターであって、
前記プッシュリフターは、
前記車体側に固定される筒形のケースと、
前記ケース内にスライド可能に保持され、前記ケース内から突出して前記フューエルリッドを押し開くプッシュロッドと、
前記ケース内に位置し、前記プッシュロッドを当該ケース内から突出する前進位置に向かって付勢する付勢手段と、
前記ケースと前記プッシュロッドとの間に位置し、前記付勢手段の付勢力に抗して前記プッシュロッドを押し込むことで、当該プッシュロッドを前記ケースの後退位置にロックするためのロック手段とを備え、
前記ケースには、
当該ケースの下部の外側を覆う筒形のキャップを備え、
前記ケースの前記下部には、
前記下部の周囲を取り囲む筒形の周壁と、
当該周壁の底を塞ぐ底壁と、
当該底壁の中心に開口するエア抜き部と、を備え、
前記キャップには、
前記底壁と対向して離れて位置し、当該底壁との間に前記エア抜き部と連通する第１エア流路を形成する底部と、
前記底部に連続して前記周壁から離れて位置し、当該周壁との間に、前記第１エア流路と連通する第２エア流路を形成する筒形の側部と、
前記車体側に対する前記ケースの取り付け状態において下側に位置し、前記第２エア流路と連通するとともに、前記底部に向かって開口する水抜き部とを備えている、
ことを特徴とする車載用プッシュリフター。
【請求項２】
前記水抜き部は、
前記側部の内周面から半径方向外向きに凹み、前記第２エア流路に連通する溝部と、
当該溝部から前記底部に向かって開口する開口部と、から構成されるとともに、
前記溝部から前記開口部に向かって、前記第２エア流路を流下する水を断面Ｌ字形に蛇行させながら排水させる、
ことを特徴とする請求項１に記載の車載用プッシュリフター。
【請求項３】
フューエルリッドに対向する車体側に固定され、前記フューエルリッドを車外に向かって押し開くプッシュリフターであって、
前記プッシュリフターは、
前記車体側に固定される筒形のケースと、
前記ケース内にスライド可能に保持され、前記ケース内から突出して前記フューエルリッドを押し開くプッシュロッドと、
前記ケース内に位置し、前記プッシュロッドを当該ケース内から突出する前進位置に向かって付勢する付勢手段と、
前記ケースと前記プッシュロッドとの間に位置し、前記付勢手段の付勢力に抗して前記プッシュロッドを押し込むことで、当該プッシュロッドを前記ケースの後退位置にロックするためのロック手段とを備え、
前記ケースには、
筒形の内周壁と、
当該内周壁の底を塞ぐ底壁と、
前記内周壁において、前記底壁が連続する下縁部と逆側の上縁部に位置し、当該内周壁から半径方向外向きに環状に延びる折り返し部と、
当該折り返し部に連続し、前記内周壁と離れて当該内周壁の周囲を取り囲む外周壁と、
前記内周壁と前記外周壁との間に位置し、前記底壁側に向かって底が開放し、前記車体側に対する前記ケースの取り付け状態において、開放面に向かって排水可能な水抜き部と、
前記折り返し部に位置し、前記内周壁の内部と前記水抜き部と連通するエア抜き部と、
を備えている、
ことを特徴とする車載用プッシュリフター。
【発明の詳細な説明】
【技術分野】
【０００１】
この発明は、車体に開閉可能に取り付けられたフューエルリッドを車外に向かって押し開くための車載用プッシュリフターに関し、内部に浸入した水を水抜き部を通じて排水することができるようにしたものである。
【背景技術】
【０００２】
従来、取付部材の下端から水が流下する際に、水がプッシュリフター内に侵入し易い位置となる取付部材の下端外周における上方側の位置にフランジ部を設けた「車両のフィラーリッド部構造」が知られている（例えば特許文献１の段落番号「００１４」、並びに図４及び図６参照）。
【先行技術文献】
【特許文献】
【０００３】
【特許文献１】特許第6183321号公報
【発明の概要】
【発明が解決しようとする課題】
【０００４】
しかし、上記した従来の構造では、水が取付部材のフランジ部を乗り越えると、プッシュリフターの空気穴から内部に侵入し、ばね部材がさびるおそれがあるという問題点があった。
そこで、各請求項にそれぞれ記載された各発明は、上記した従来の技術の有する問題点に鑑みてなされたものであり、その目的とするところは、次の点にある。
【０００５】
（請求項１）
請求項１に記載の発明は、次の点を目的とする。
すなわち、請求項１に記載の発明は、内部に浸入した水を水抜き部を通じて排水することができるようにしたものである。
これに加え、請求項１に記載の発明は、車体側に対するケースの取り付け状態において下側に水抜き部を設け、当該水抜き部に対し、エア抜き部を上方に位置させることで、水抜き部を通じたエア抜き部への水の浸入を抑制することができるようにしたものである。
【０００６】
（請求項２）
請求項２に記載の発明は、上記した請求項１に記載の発明の目的に加え、次の点を目的とする。
すなわち、請求項２に記載の発明は、水抜き部における水の流路を蛇行させることで、水抜き部からの水の浸入を抑制することができるようにしたものである。
【０００７】
（請求項３）
請求項３に記載の発明は、次の点を目的とする。
すなわち、請求項３に記載の発明は、ケースの周壁を二重とし、内部に水抜き部を設けるとともに、車体側に対するケースの取り付け状態において、当該水抜き部に対し、エア抜き部を上方に位置させることで、水抜き部を通じたエア抜き部への水の浸入を抑制することができるようにしたものである。
【課題を解決するための手段】
【０００８】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
【０００９】
（請求項１）
請求項１に記載の発明は、次の点を特徴とする。
第１に、フューエルリッド（図示せず）に対向する車体側に固定され、例えば図１に示すように、フューエルリッドを車外に向かって押し開くプッシュリフター(10)である。
【００１０】
第２に、プッシュリフター(10)は、例えば図１及び図３に示すように、次の構成を備える。
（１）ケース(20)
ケース(20)は、例えば図３に示すように、車体側（図示せず）に固定される筒形のものである。
（２）プッシュロッド(30)
プッシュロッド(30)は、例えば図１、図３及び図１３に示すように、ケース(20)内にスライド可能に保持され、ケース(20)内から突出してフューエルリッド（図示せず）を押し開くものである。
【００１１】
（３）付勢手段（例えばスプリング40）
付勢手段（例えばスプリング40）は、例えば図１及び図３に示すように、ケース(20)内に位置し、プッシュロッド(30)を当該ケース(20)内から突出する前進位置に向かって付勢するものである。
（４）ロック手段
ロック手段は、例えば図１及び図３に示すように、ケース(20)とプッシュロッド(30)との間に位置し、付勢手段（例えばスプリング40）の付勢力に抗してプッシュロッド(30)を押し込むことで、例えば図１３に示すように、当該プッシュロッド(30)をケース(20)の後退位置にロックするためのものである。
【００１２】
ここで、「ロック手段」は、例えば図２１及び図２２に示すインナー(50)のロック部(56)と、例えば図４５に示す回転カム(60)の係合突起(61)とから構成される。ロック手段は、係合突起(61)がロック部(56)の係止溝(55)にはまり込んだ状態がロック状態（例えば図１３参照）となり、係合突起(61)が係止溝(55)から係脱した状態がロック解除状態（例えば図１参照）となる。
【００１３】
第３に、ケース（例えばケース本体90）には、例えば図１及び図３に示すように、当該ケース（例えばケース本体90）の下部(95)の外側を覆う筒形のキャップ(100)を備える。
【００１４】
第４に、ケース（例えばケース本体90）の下部(95)には、例えば図１及び図１６に示すように、次の構成を備える。
（５）周壁（例えば内周壁110）
周壁（例えば内周壁110）は、例えば図１及び図１６に示すように、下部(95)の周囲を取り囲む筒形のものである。
【００１５】
（６）底壁(111)
底壁(111)は、例えば図１及び図１６に示すように、当該周壁（例えば内周壁110）の底を塞ぐものである。
（７）エア抜き部(114)
エア抜き部(114)は、例えば図１及び図１６に示すように、当該底壁(111)の中心に開口するものである。
【００１６】
第５に、キャップ(100)には、例えば図１及び図２０に示すように、次の構成を備える。
（８）底部(120)
底部(120)は、例えば図１及び図２０に示すように、底壁(111)と対向して離れて位置し、当該底壁(111)との間にエア抜き部(114)と連通する第１エア流路(130)を形成するものである。
（９）側部(121)
側部(121)は、例えば図１及び図２０に示すように、底部(120)に連続して周壁（例えば内周壁110）から離れて位置し、当該周壁（例えば内周壁110）との間に、第１エア流路(130)と連通する第２エア流路(131)を形成する筒形のものである。
【００１７】
（１０）水抜き部(122)
水抜き部(122)は、例えば図１及び図２０に示すように、車体側に対するケース（例えばケース本体90）の取り付け状態において下側に位置し、第２エア流路(131)と連通するとともに、底部(120)に向かって開口するものである。
【００１８】
ここで、「車体側に対するケース（例えばケース本体90）の取り付け状態」は、例えば図１に示すように、ブーツ(80)側が取付上方向(a)に位置し、ケース(20)側が下側に位置する。
例えば、ブーツ(80)側は、上方に位置し、ケース(20)の下部(95)側が斜め下方に向かって下り傾斜するように取り付けられ、ケース(20)内に水が浸入した際に、例えば図１に示すように、水抜き部(122)から水流下方向(b)に向かって排水されるように構成されている。
【００１９】
（請求項２）
請求項２に記載の発明は、上記した請求項１に記載の発明の特徴点に加え、次の点を特徴とする。
第１に、水抜き部(122)は、例えば図１及び図２０に示すように、次の構成から構成されている。
（１）溝部(123)
溝部(123)は、例えば図１及び図２０に示すように、側部(121)の内周面から半径方向外向きに凹み、第２エア流路(131)に連通するものである。
（２）開口部(124)
開口部(124)は、例えば図１及び図２０に示すように、当該溝部(123)から底部(120)に向かって開口するものである。
【００２０】
第２に、水抜き部(122)は、例えば図１及び図２０に示すように、溝部(123)から開口部(124)に向かって、第２エア流路(131)を流下する水を断面Ｌ字形に蛇行させながら排水させるものである。
【００２１】
（請求項３）
請求項３に記載の発明は、次の点を特徴とする。
第１に、フューエルリッド（図示せず）に対向する車体側に固定され、例えば図５１及び図５７に示すように、フューエルリッドを車外に向かって押し開くプッシュリフター(10)である。
【００２２】
第２に、プッシュリフター(10)は、例えば図５１及び図５７に示すように、次の構成を備える。
（１）ケース(200)
ケース(200)は、例えば図５１及び図５７に示すように、車体側（図示せず）に固定される筒形のものである。
（２）プッシュロッド(30)
プッシュロッド(30)は、例えば図５１、図５７及び図６１に示すように、ケース(200)内にスライド可能に保持され、ケース(200)内から突出してフューエルリッド（図示せず）を押し開くものである。
【００２３】
（３）付勢手段（例えばスプリング40）
付勢手段（例えばスプリング40）は、例えば図５１及び図５７に示すように、ケース(200)内に位置し、プッシュロッド(30)を当該ケース(200)内から突出する前進位置に向かって付勢するものである。
（４）ロック手段
ロック手段は、例えば図５１及び図５７に示すように、ケース(200)とプッシュロッド(30)との間に位置し、付勢手段（例えばスプリング40）の付勢力に抗してプッシュロッド(30)を押し込むことで、例えば図６１に示すように、当該ロッドをケース(200)の後退位置にロックするためのものである。
なお、ロック手段は、先に説明した請求項１のものと同様に構成されている。
【００２４】
第３に、ケース(200)には、例えば図５５及び図５７に示すように、次の構成を備える。
（５）内周壁(210)
内周壁(210)は、例えば図５５及び図５７に示すように、筒形のものである。
（６）底壁(211)
底壁(211)は、例えば図５５及び図５７に示すように、当該内周壁(210)の底を塞ぐものである。
【００２５】
（７）折り返し部(212)
折り返し部(212)は、例えば図５７に示すように、内周壁(210)において、底壁(211)が連続する下縁部と逆側の上縁部に位置し、当該内周壁(210)から半径方向外向きに環状に延びるものである。
（８）外周壁(213)
外周壁(213)は、例えば図５５及び図５７に示すように、当該折り返し部(212)に連続し、内周壁(210)と離れて当該内周壁(210)の周囲を取り囲むものである。
【００２６】
（９）水抜き部(214)
水抜き部(214)は、例えば図５５及び図５７に示すように、内周壁(210)と外周壁(213)との間に位置し、底壁(211)側に向かって底が開放し、車体側に対するケース(200)の取り付け状態において、開放面に向かって排水可能なものである。
ここで、「車体側に対するケース(200)の取り付け状態」は、例えば図５７に示すように、ブーツ(80)側が取付上方向(c)に位置し、ケース(200)側が下側に位置する。
例えば、ブーツ(80)側は、上方に位置し、ケース(200)の底壁(211)側が斜め下方に向かって下り傾斜するように取り付けられ、ケース(200)内に水が浸入した際に、水抜き部(214)の内部を開放面に向かって流下し、当該開放面から排水されるように構成されている。
【００２７】
（１０）エア抜き部(215)
エア抜き部(215)は、例えば図５５に示すように、折り返し部(212)に位置し、内周壁(210)の内部と水抜き部(214)と連通するものである。
ここで、エア抜き部(215)は、図示しないが、車体側に対するケース(200)の取り付け状態において、水抜き部(214)の開放面に対して、上側に位置する。
【発明の効果】
【００２８】
本発明は、以上のように構成されているので、以下に記載されるような効果を奏する。
（請求項１）
請求項１に記載の発明によれば、次のような効果を奏する。
すなわち、請求項１に記載の発明によれば、内部に浸入した水を水抜き部を通じて排水することができる。
これに加え、請求項１に記載の発明によれば、車体側に対するケースの取り付け状態において下側に水抜き部を設け、当該水抜き部に対し、エア抜き部を上方に位置させることで、水抜き部を通じたエア抜き部への水の浸入を抑制することができる。
【００２９】
（請求項２）
請求項２に記載の発明によれば、上記した請求項１に記載の発明の効果に加え、次のような効果を奏する。
すなわち、請求項２に記載の発明によれば、水抜き部における水の流路を蛇行させることで、水抜き部からの水の浸入を抑制することができる。
【００３０】
（請求項３）
請求項３に記載の発明によれば、次のような効果を奏する。
すなわち、請求項３に記載の発明によれば、ケースの周壁を二重とし、内部に水抜き部を設けるとともに、車体側に対するケースの取り付け状態において、当該水抜き部に対し、エア抜き部を上方に位置させることで、水抜き部を通じたエア抜き部への水の浸入を抑制することができる。
【図面の簡単な説明】
【００３１】
【図１】本発明の第１の実施の形態を示し、同図は図６のＣ−Ｃ断面図である。
【図２】プッシュリフターの斜視図である。
【図３】プッシュリフターの分解斜視図である。
【図４】プッシュリフターの正面図である。
【図５】プッシュリフターの側面図であり、同図（ａ）は左側面図、同図（ｂ）は右側面図である。
【図６】プッシュリフターの平面図である。
【図７】プッシュリフターの底面図である。
【図８】図１のＡ−Ａ断面図である。
【図９】図４のＢ−Ｂ断面図である。
【図１０】プッシュリフターのロック状態の正面図である。
【図１１】プッシュリフターのロック状態の平面図である。
【図１２】プッシュリフターのロック状態の底面図である。
【図１３】図１２のＤ−Ｄ断面図である。
【図１４】ケース本体の斜視図である。
【図１５】ケース本体の横断面図である。
【図１６】ケース本体の縦断面図である。
【図１７】キャップの斜視図である。
【図１８】キャップの左側面図である。
【図１９】図１７の横断面図である。
【図２０】図１８のＥ−Ｅ断面図である。
【図２１】インナーの斜視図である。
【図２２】図２１のＦ部拡大図である。
【図２３】インナーの他の斜視図である。
【図２４】インナーの正面図である。
【図２５】インナーの左側面図である。
【図２６】インナーの右側面図である。
【図２７】インナーの底面図である。
【図２８】図２４のＧ−Ｇ断面図である。
【図２９】図２４のＨ−Ｈ断面図である。
【図３０】図２４のＩ−Ｉ断面図である。
【図３１】図２７のＫ−Ｋ断面図である。
【図３２】図２５のＪ−Ｊ断面図である。
【図３３】プッシュロッドの斜視図である。
【図３４】プッシュロッドの他の斜視図である。
【図３５】プッシュロッドの正面図である。
【図３６】プッシュロッドの平面図である。
【図３７】プッシュロッドの左側面図である。
【図３８】図３５のＬ−Ｌ断面図である。
【図３９】図３７のＭ−Ｍ断面図である。
【図４０】図３７のＮ−Ｎ断面図である。
【図４１】カムの正面図である。
【図４２】カムの左側面図である。
【図４３】カムの右側面図である。
【図４４】カムの背面図である。
【図４５】図４３のＯ−Ｏ断面図である。
【図４６】スリーブの正面図である。
【図４７】スリーブの平面図である。
【図４８】スリーブの底面図である。
【図４９】図４９のＰ−Ｐ断面図である。
【図５０】ブーツの横断面図である。
【図５１】本発明の第２の実施の形態を示し、同図はプッシュリフターの分解斜視図である。
【図５２】本発明の第２の実施の形態を示し、同図はプッシュリフターの斜視図である。
【図５３】本発明の第２の実施の形態を示し、同図はプッシュリフターの正面図である。
【図５４】本発明の第２の実施の形態を示し、同図はプッシュリフターの平面図である。
【図５５】本発明の第２の実施の形態を示し、同図はプッシュリフターの左側面図である。
【図５６】本発明の第２の実施の形態を示し、同図はプッシュリフターの右側面図である。
【図５７】図５４のＱ−Ｑ断面図である。
【図５８】図５４のＲ−Ｒ断面図である。
【図５９】本発明の第２の実施の形態を示し、同図はプッシュリフターのロック状態の正面図である。
【図６０】本発明の第２の実施の形態を示し、同図はプッシュリフターのロック状態の平面図である。
【図６１】図４９のＲ−Ｒ断面図である。
【発明を実施するための形態】
【００３２】
（第１の実施の形態）
図１〜図５０を用いて、プッシュリフター10の第１の実施の形態について説明する。
プッシュリフター10は、図示しないが、フューエルリッド（図示せず）に対向する車体側に固定され、図１に示すように、ロックの解除状態において、フューエルリッドを車外に向かって押し開くものである。
【００３３】
プッシュリフター10は、車体側に対する後述するケース20の取り付け状態において、図１に示すように、後述するブーツ80側が取付上方向ａに位置し、ケース20側が下側に位置する。
具体的には、ブーツ80側は、上方に位置し、ケース20の後述する底壁111側が斜め下方に向かって下り傾斜するように取り付けられ、後述するケース本体90内に水が浸入した際に、後述するキャップ100の水抜き部122から水流下方向ｂに向かって流下して排水されるように構成されるようにしている。ここで、キャップ100は、図２及び図６に示すように、矢印のマークが上方を向き、後述するくぼみ部103が下方を向くように取り付けられる。
【００３４】
プッシュリフター10は、図３に示すように、大別すると、次のパーツを備える。
なお、次のパーツについては後述する。
（１）ケース20
（２）プッシュロッド30
（３）スプリング40（付勢手段）
（４）インナー50
（５）回転カム60
（６）スリーブ70
（７）ブーツ80
なお、プッシュリフター10のパーツは、上記した（１）〜（７）に限定されず、止水用のＯリングなどを他のパーツを備えていてもよい。
【００３５】
（ケース20）
ケース20は、図３に示すように、車体側（図示せず）に固定される筒形のものである。
ケース20は、図３に示すように、大別すると、次のパーツから構成されている。
なお、次のパーツについては後述する。
（１）ケース本体90
（２）キャップ100
なお、ケース20のパーツは、上記した（１）及び（２）に限定されず、止水用のＯリングなどを他のパーツを備えていてもよい。
【００３６】
（ケース本体90）
ケース本体90は、図３及び図１４〜図１６に示すように、車体側（図示せず）に固定される筒形のものである。ケース本体90は、一端部が開口し、他端部が後述する底壁111で塞がれた角筒形に形成されている。
ケース本体90は、適度な弾性と剛性とを有する熱可塑性合成樹脂、例えばＰＯＭにより一体的に構成されている。
【００３７】
ケース本体90には、次の各部を備える。
なお、次の（１）〜（７）については後述する。
（１）フランジ部91
（２）胴体部92
（３）車体取付爪93
（４）インナー取付穴94
（５）下部95
（６）弾性片96
（７）キャップ取付穴97
【００３８】
（フランジ部91）
フランジ部91は、図１４〜図１６に示すように、ケース本体90の開口側に位置し、その端部から平面が四角いリング状に張り出している。
【００３９】
（胴体部92）
胴体部92は、図１４〜図１６に示すように、フランジ部91から中空の角筒形に形成されている。
【００４０】
（車体取付爪93）
車体取付爪93は、図１４〜図１６に示すように、胴体部92の背向する側面から爪状に一対張り出し、フランジ部91から離れて対向する。ケース本体90は、図示しないが、一対の車体取付爪93により、車体側（図示せず）に回転不能に固定される。
【００４１】
（インナー取付穴94）
インナー取付穴94は、図１４〜図１６に示すように、胴体部92の背向する側面、すなわち車体取付爪93と９０度位相を異ならせ、方形の穴状に形成されている。インナー50は、図１に示すように、胴体部92の中空部内に挿入され、インナー50のケース取付爪53が内部からインナー取付穴94内にはまり込み、胴体部92の中空部内にインナー50が回転不能に固定される。
【００４２】
（下部95）
下部95は、図１４〜図１６に示すように、ケース本体90の閉塞された後述する底壁111側に位置し、車体側に対するケース20の取り付け状態において、下側に位置する。下部95は、角筒形の胴体部92に対して、一段細くなった円筒形に形成されている。
【００４３】
下部95には、次の各部を備える。
なお、次の（１）〜（５）について後述する。
（１）内周壁110
（２）底壁111
（３）折り返し部112
（４）外周壁113
（５）エア抜き部114
【００４４】
（弾性片96）
弾性片96は、図１４及び図１５に示すように、角筒形の胴体部92に対して一段細くなった円筒形の下部95と平行に延び、一対の車体取付爪93と同じ側の側面に位置し、一対形成されている。弾性片96は、図９に示すように、キャップ100を取り付けた際に、その後述する一対のガイド溝101内にはまり込む。
【００４５】
（キャップ取付穴97）
キャップ取付穴97は、図１４及び図１５に示すように、一対の弾性片96の途中に位置し、表裏面に方形に貫通する。キャップ取付穴97は、図９に示すように、キャップ100を取り付けた際に、その後述する一対のケース取付爪102がはまり込む。
【００４６】
（下部95の内周壁110）
下部95の内周壁110
内周壁110は、図１４〜図１６に示すように、下部95の周囲を取り囲む筒形のものであり、「周壁」ともいう。
【００４７】
（底壁111）
底壁111は、図１４〜図１６に示すように、内周壁110（周壁）の底を塞ぐものである。
【００４８】
（折り返し部112）
折り返し部112は、図１４及び図１６に示すように、内周壁110の背向する側面、すなわち弾性片96と９０度位相を異ならせて一対形成されている、折り返し部112は、内周壁110において、底壁111が連続する下縁部と逆側の上縁部に位置し、当該内周壁110から半径方向外向きに環状に延びるものである。
【００４９】
（外周壁113）
外周壁113は、図１４及び図１６に示すように、折り返し部112に連続し、内周壁110と離れて当該内周壁110の周囲を取り囲むものである。外周壁113は、一対形成され、弾性片96より短く形成されている。また、外周壁113は、キャップ100の取り付け状態において、キャップ100の後述する溝部123内に突出し、溝部123内の同じく後述する水抜き部122を狭くするとともに、内部を断面Ｌ字形に蛇行させる機能がある。
【００５０】
（エア抜き部114）
エア抜き部114は、
エア抜き部114は、図１５及び図１６に示すように、底壁111の中心に円形に開口するものである。
【００５１】
（キャップ100）
キャップ100は、図１、図３及び図１７〜図２０に示すように、ケース20、すなわちケース本体90の下部95の外側を覆う筒形のものである。
キャップ100は、適度な弾性と剛性とを有する熱可塑性合成樹脂、例えばＰＰにより一体的に構成されている。
【００５２】
キャップ100には、図１７〜図２０に示すように、次の各部を備える。
なお、次の（１）〜（８）については後述する。
（１）ガイド溝101
（２）ケース取付爪102
（３）くぼみ部103
（４）底部120
（５）側部121
（６）水抜き部122
（７）溝部123
（８）開口部124
【００５３】
（ガイド溝101）
ガイド溝101は、図１７〜図１９に示すように、筒形のキャップ100の背向する側面に一対位置し、筒形のキャップ100の開口端部から後述する底部120側に向かって溝状に延びている。一対のガイド溝101には、図９に示すように、ケース本体90の一対の弾性片96がそれぞれ差し込まれるものである。
【００５４】
（ケース取付爪102）
ケース取付爪102は、図１７〜図１９に示すように、一対のガイド溝101から爪状に一対、突出する。一対のケース取付爪102は、ガイド溝101にケース本体90の弾性片96を差し込んだ際に、そのキャップ取付穴97内にはまり込み、キャップ100の抜けを阻止する。
【００５５】
（くぼみ部103）
くぼみ部103は、図１７、図１８及び図２０に示すように、ガイド溝101と９０度位相を異ならせて１カ所に設けられ、後述する側部121からくぼみ、同じく後述する底部120に隣接させている。
【００５６】
（底部120）
底部120は、図１及び図２０に示すように、底壁111と対向して離れて位置し、当該底壁111との間にエア抜き部114と連通する第１エア流路130を形成するものである。
【００５７】
（側部121）
側部121は、図１及び図２０に示すように、底部120に連続して内周壁110（周壁）から離れて位置し、当該内周壁110（周壁）との間に、第１エア流路130と連通する第２エア流路(131)を形成する筒形のものである。
【００５８】
（水抜き部122）
水抜き部122は、図１及び図２０に示すように、車体側に対するケース本体90（ケース20）の取り付け状態において下側に位置し、第２エア流路131と連通するとともに、底部120に向かって開口するものである。
ここで、「車体側に対するケース本体90（ケース20）の取り付け状態」は、図１に示すように、ブーツ80側が取付上方向ａに位置し、ケース20側が下側に位置する。
例えば、ブーツ80側は、上方に位置し、ケース20の下部95側が斜め下方に向かって下り傾斜するように取り付けられ、ケース20内に水が浸入した際に、図１に示すように、水抜き部122から水流下方向ｂに向かって排水されるように構成されている。
【００５９】
水抜き部122は、図２０に示すように、大別すると、各部から構成されている。
なお、次の（１）及び（２）については後述する。
（１）溝部123
（２）開口部124
【００６０】
（溝部123）
溝部123は、図１及び図２０に示すように、側部121の内周面から半径方向外向きに凹み、第２エア流路131に連通するものである。
【００６１】
（開口部124）
開口部124は、図１及び図２０に示すように、当該溝部123から底部120に向かって開口するものである。開口部124は、くぼみ部103に開口している。
そして、水抜き部122は、図１に示すように、キャップ100をケース本体90の下部95に取り付けた際に、溝部123内にケース本体90の外周壁113が上方より突出することで、溝部123から開口部124に向かって、第２エア流路131を流下する水を断面Ｌ字形に蛇行させながら排水させるものである。
【００６２】
（プッシュロッド30）
プッシュロッド30は、図１、図３及び図１３に示すように、ケース20内、すなわちケース本体90内にスライド可能に保持され、ケース20内から突出してフューエルリッド（図示せず）を押し開くものである。
プッシュロッド30は、適度な剛性を有する熱可塑性合成樹脂、例えばＰＯＭにより一体的に構成されている。
【００６３】
プッシュロッド30には、図３３〜図４０に示すように、次の各部を備える。
なお、次の（１）〜（７）について後述する。
（１）中間凸部31
（２）上側ロッド部32
（３）下側ロッド部33
（４）スライド突起34  
（５）固定側カム部35
（６）ブーツ取付凹部36
（７）スリーブ取付凹部37
【００６４】
（中間凸部31）
中間凸部31は、図３３〜図３７に示すように、プッシュロッド30の軸方向の途中に位置し、半径方向に環状に張り出すものである。
【００６５】
（上側ロッド部32）
上側ロッド部32は、図３３〜図３６に示すように、中間凸部31から軸方向に円柱状に延び、図１に示すように、インナー50を介してケース本体90内に挿入した際に、ケース本体90内から外部に突出するものである。
【００６６】
（下側ロッド部33）
下側ロッド部33は、図３３〜図３６に示すように、上側ロッド部32と軸方向において反対向きに中間凸部31から円柱状に延びるものである。下側ロッド部33は、上側ロッド部32より細い円柱状に形成され、図１に示すように、インナー50を介してケース本体90内に挿入され、ケース本体90内に位置する。
【００６７】
（スライド突起34）
スライド突起34は、図３３〜図３７に示すように、中間凸部31から放射状に複数個、例えば等間隔に３個、突出するものである。３個のスライド突起34は、プッシュロッド30をインナー50内に挿入した際に、図１に示すように、後述するスライド溝55内にはまり込み、インナー50内でのプッシュロッド30の回転を阻止する。
【００６８】
（固定側カム部35）
固定側カム部35は、図３３〜図３７に示すように、中間凸部31の下面に位置し、ケース本体90内において、回転カム60の可動側カム部62とかみ合う。固定側カム部35は、図４０に示すように、一つの歯が鈍角な三角形を成し、中間凸部31の円周方向に沿って連続した波形に形成されている。
【００６９】
（ブーツ取付凹部36）
ブーツ取付凹部36は、図３３〜図３６に示すように、下側ロッド部33の先端部に位置し、環状に凹んだ凹状に形成されている。ブーツ取付凹部36には、図１に示すように、ブーツ80の後述するロッド取付凸部81がはまり込み、プッシュロッド30に対しブーツ80を固定する。
【００７０】
（スリーブ取付凹部37）
スリーブ取付凹部37は、図３３〜図３６、図３８及び図３９に示すように、下側ロッド部33の先端部に位置し、当該先端部を断面十字形に形成することで、その周囲に三角形状に凹んだ複数個、例えば４個の凹部を形成している。スリーブ取付凹部37には、図１に示すように、ケース本体90内において、スリーブ70のロッド取付爪74がはまり込み、プッシュロッド30に対しスリーブ70を固定する。
【００７１】
（スプリング40）
スプリング40は、図１及び図３に示すように、ケース20内、すなわちケース本体90内に位置し、プッシュロッド30を当該ケース20内から突出する前進位置に向かって付勢するものであり、付勢手段を構成する。
スプリング40は、ばね用ステンレス鋼線から形成されている。
スプリング40は、図１及び図１３に示すように、ケース本体90内において、その底壁111と、スリーブ70の後述する突縁部71との間で圧縮される。
【００７２】
（インナー50）
インナー50は、図１、図３及び図２１〜図３２に示すように、ケース20内、すなわちケース本体90内に位置し、プッシュロッド30をスライド可能に保持するものである。
インナー50は、適度な剛性を有する熱可塑性合成樹脂、例えばＰＯＭにより一体的に構成されている。
【００７３】
インナー50には、図２１〜図３２に示すように、次の各部を備える。
なお、次の（１）〜（７）について後述する。
（１）蓋部51
（２）円筒部52
（３）ケース取付爪53
（４）貫通孔54
（５）スライド溝55
（６）ロック部56（ロック手段）
（７）係止溝57
【００７４】
（蓋部51）
蓋部51は、図２１、図２３〜図２６に示すように、一端部から方形に張り出し、図１に示すように、ケース本体90のフランジ部91と重なり合うものである。
【００７５】
（円筒部52）
円筒部52は、図２１、図２３〜図２６に示すように、蓋部51から円筒形に延び、図１に示すように、ケース本体90内にはまり込むものである。
【００７６】
（ケース取付爪53）
ケース取付爪53は、図２１、図２４、図２５、図２７及び図３１に示すように、円筒部52の背向する側面から爪状に一対張り出すものである。ケース取付爪53は、インナー50をケース本体90内にはまめ込んだ際に、そのインナー取付穴94にはまり込み、ケース本体90内にインナー50が回転不能に固定される。
【００７７】
（貫通孔54）
貫通孔54は、図２１〜図２３、図２５、図２６及び図２８〜図３１に示すように、蓋部51から円筒部52を通って円筒形に貫通するものである。貫通孔54内には、図１に示すように、プッシュロッド30及び回転カム60がスライド可能に保持される。
【００７８】
（スライド溝55）
スライド溝55は、図２５及び図２８〜図３１に示すように、貫通孔54の内周面から半径方向外向きに放射状に凹状に形成され、複数個、例えば３個構成されている。３個のスライド溝55には、貫通孔54内に挿通されたプッシュロッド30の３個のスライド突起34がスライド可能にはまり込み、インナー50内におけるプッシュロッド30の回転が阻止される。また、３個のスライド溝55には、貫通孔54内に挿通された回転カム60の３個の係合突起61がスライド可能にはまり込み、貫通孔54内における回転カム60の回転が阻止される。
【００７９】
（ロック部56）
ロック部56は、図２１、図２２及び図２８〜図３２に示すように、貫通孔54の開口端部に位置し、隣接するスライド溝55の間に爪状に形成され、複数個、例えば３個のスライド溝55の隣接した間隔内に計３個形成されている。ロック部56は、貫通孔54内から回転カム60が下方に突出した状態において、その後述する係合突起61が係合し、インナー50内に対する回転カム60の回転を阻止することで、図１３に示すように、スプリング40が圧縮され、プッシュロッド30が短縮した状態にロックするものであり、「ロック手段」を構成する。
【００８０】
「ロック手段」は、インナー50のロック部56に加え、回転カム60の後述する係合突起61により構成される。
ここで、「ロック手段」は、図１及び図３に示すように、ケース20とプッシュロッド30との間に位置し、スプリング40（付勢手段）の付勢力に抗してプッシュロッド30を押し込むことで、図１３に示すように、当該プッシュロッド30をケース20の後退位置にロックするためのものである。
「ロック手段」は、係合突起61がロック部56の後述する係止溝57にはまり込んだ状態がロック状態（図１３参照）となり、係合突起61が係止溝57から係脱した状態がロック解除状態（図１参照）となる。
【００８１】
（係止溝57）
係止溝57は、ロック部56の途中に位置し、図２１、図２２、図２８及び図３０〜図３２に示すように、凹状に形成されている。係止溝57には、回転カム60の後述する係合突起61がはまり込み、ロック状態となる。係止溝57は、図５７に示すように、回転カム60の回転方向に沿って、直角三角形形に突出し、係止溝57に至る斜面と、当該斜面の底から垂直に切り立った垂直面から構成されている。
【００８２】
（回転カム60）
回転カム60は、図１、図３及び図４１〜図４５に示すように、プッシュロッド30の下側ロッド部33に挿通され、その可動側カム部62が、中間凸部31の固定側カム部35に係合するものであり、円形のリング状に形成されている。
回転カム60は、適度な剛性を有する熱可塑性合成樹脂、例えばＰＯＭにより一体的に構成されている。
【００８３】
回転カム60には、図４１〜図４５に示すように、次の各部を備える。
なお、次の（１）及び（２）について後述する。
（１）係合突起61
（２）可動側カム部62
【００８４】
（係合突起61）
係合突起61は、図４１〜図４５に示すように、回転カム60の外周から放射状に複数個、例えば３個延び、回転カム60の回転方向の前方に斜面を有するものであり、インナー50のロック部56とともに「ロック手段」を構成する。
３個の係合突起61は、図１に示すように、インナー50の３個のスライド溝55内にはまり込み、貫通孔54内における回転カム60の回転が阻止される。そして、回転カム60は、インナー50の貫通孔54を通して下方に突出すると、その回転が可能となる。インナー50の貫通孔54を通して下方に突出た状態において、係合突起61は、インナー50の係止溝57にはまり込むことで、回転カム60は、インナー50に対して回転が阻止され、又、突出状態を維持し、「ロック手段」はロック状態となる。
【００８５】
（可動側カム部62）
可動側カム部62は、図４３及び図４５に示すように、回転カム60の上面に位置し、プッシュロッド30の固定側カム部35とかみ合うものである。可動側カム部62は、固定側カム部35と相補的な形状に形成され、一つの歯が鈍角な三角形を成し、中間凸部31の円周方向に沿って連続した波形に形成されている。
【００８６】
（スリーブ70）
スリーブ70は、図１、図３及び図４６〜図４９に示すように、プッシュロッド30の下側ロッド部33に挿通され、同じく下側ロッド部33に先に挿通された回転カム60の抜けを防止し、当該回転カム60の可動側カム部62を、中間凸部31の固定側カム部35に向かって横圧するものである。
スリーブ70は、適度な弾性と剛性とを有する熱可塑性合成樹脂、例えばＰＯＭにより一体的に構成されている。
【００８７】
スリーブ70には、図４６〜図４９に示すように、次の各部を備える。
なお、次の（１）及び（４）について後述する。
（１）突縁部71
（２）本体部72
（３）スリット73
（４）ロッド取付爪74
【００８８】
（突縁部71）
突縁部71は、図４６〜図４９に示すように、環状に張り出すものである。突縁部71は、図１に示すように、ケース本体90内において、その上面が回転カム60の下面に当接し、下面がスプリング40に当接する。
【００８９】
（本体部72）
本体部72は、図４６、図４８及び図４９に示すように、突縁部71の下面から円筒形に延び、図１に示すように、プッシュロッド30の下側ロッド部33に挿通される。
【００９０】
（スリット73）
スリット73は、図４６、図４８及び図４９に示すように、円筒形の本体部72の先端部を複数、例えば４分割に切り割るものである。
【００９１】
（ロッド取付爪74）
ロッド取付爪74は、図４６〜図４９に示すように、４本のスリット73に切り割られた間隔内に位置し、半径方向内方に向かって爪状に突出するものである。計４個のロッド取付爪74は、本体部72内に挿通された下側ロッド部33の４個のスリーブ取付凹部37にそれぞれはまり込み、下側ロッド部33の軸方向の移動、並びに回転を阻止する。
【００９２】
（ブーツ80）
ブーツ80は、図１〜図３、図１０〜図１３及び図５０に示すように、ケース20内、すなわちケース本体90内から突出するプッシュロッド30の上側ロッド部32を覆う伸縮可能なものであり、ケース本体90に取り付けられる。ブーツ80は、蛇腹状に形成され、一端部が先細状に形成され、閉塞され、他端部が開口する。
ブーツ80は、適度な弾性と剛性とを有する熱可塑性合成樹脂、例えば合成ゴムにより一体的に構成されている。
【００９３】
ブーツ80には、次の各部を備える。
なお、次の（１）及び（２）について後述する。
（１）ロッド取付凸部81
（２）ケース取付凸部82
【００９４】
（ロッド取付凸部81）
ロッド取付凸部81は、図５０に示すように、先細状に形成され、閉塞された先端部の内部に位置し、内面から環状に突出する。ロッド取付凸部81は、図１に示すように、プッシュロッド30のブーツ取付凹部36に弾性的にはまり込み、ブーツ80からのプッシュロッド30の抜けを阻止する。
【００９５】
（ケース取付凸部82）
ケース取付凸部82は、図５０に示すように、開口した開口縁部の内周面に位置し、当該内周面から環状に突出する。ケース取付凸部82は、図１に示すように、ブーツ80の開口縁部をケース本体90のフランジ部91を覆うように被せた際に、フランジ部91の下面に引っ掛かり、ブーツ80をケース本体90に対して固定する。
ブーツ80の取り付け状態においては、当該ブーツ80がケース本体90のフランジ部91に被さることで、ケース本体90内への水の浸入を防止する。
【００９６】
（プッシュリフター10の伸張状態）
つぎに、上記構成を備えた組み立て状態のプッシュリフター10の伸縮動作について説明する。
まず、プッシュリフター10の伸張状態においては、ロック手段がロック解除状態にあり、図１に示すように、プッシュロッド30の中間凸部31が、ケース本体90内においてスプリング40の付勢力により、スリーブ70、回転カム60を介して押され、上側ロッド部32がケース本体90から突出する。
上側ロッド部32が突出することで、ブーツ80を介して、フューエルリッド（図示せず）を押し開く。このため、押し開かれたフューエルリッド（図示せず）を、手動で開放することができる。
【００９７】
（プッシュリフター10の短縮状態）
これに対し、プッシュリフター10の伸張状態から短縮状態に移行させるには、スプリング40（付勢手段）の付勢力に抗して、フューエルリッド（図示せず）を介して、或いは直接、プッシュロッド30をケース本体90内に押し込めばよい。
プッシュロッド30が押し込まれると、その中間凸部31及び回転カム60が、インナー50の貫通孔54中を奥に向かって後退する。
回転カム60が貫通孔54中を奥に向かって後退すると、貫通孔54から抜けで回転可能となる。
【００９８】
このとき、回転カム60の可動側カム部62と、プッシュロッド30の固定側カム部35とのかみ合いにより、回転カム60が回転し、その係合突起61がインナー50のロック部56に達する。
この状態で、プッシュロッド30を押し込む力が解放されると、回転カム60が、スリーブ70を介して、スプリング40（付勢手段）の付勢力により押し戻されて前進することで、その係合突起61がロック部56の係止溝57にはまり込み、ロック手段がロック状態となる。
このため、スプリング40（付勢手段）の付勢力がインナー50のロック部56により受け止められ、図１３に示すように、プッシュリフター10が短縮状態を維持する。
【００９９】
（ロック手段のロック状態の解除）
プッシュリフター10を、再度、伸張させるには、フューエルリッド（図示せず）を介して、或いは直接、プッシュロッド30をケース本体90内に向かって、少し押し込めばよい。
プッシュロッド30が押し込まれると、その中間凸部31及び回転カム60が、インナー50の貫通孔54中を奥に向かって後退する。
インナー50が後退すると、回転カム60の係合突起61がロック部56の係止溝57から浮上し、回転カム60が回転可能となる。
【０１００】
このとき、回転カム60の可動側カム部62と、プッシュロッド30の固定側カム部35とのかみ合いにより、回転カム60が回転し、その係合突起61がインナー50のスライド溝55に臨み、ロック手段のロック状態が解除される。
この状態で、プッシュロッド30を押し込む力が解放されると、回転カム60が、スリーブ70を介して、スプリング40（付勢手段）の付勢力により押し戻されて前進する。
【０１０１】
このとき、回転カム60の係合突起61がインナー50のスライド溝55内をスライドする。
このため、プッシュロッド30の中間凸部31が、ケース本体90内においてスプリング40の付勢力により、図１に示すように、スリーブ70、回転カム60を介して押され、上側ロッド部32がケース本体90から突出し、プッシュリフター10が、再度、伸張状態となる。
【０１０２】
（プッシュリフター10の取付位置）
プッシュリフター10は、車体側に対するケース20の取り付け状態において、図１に示すように、ブーツ80側が取付上方向ａに位置し、ケース20側が下側に位置する。
具体的には、ブーツ80側は、上方に位置し、ケース20の底壁111側が斜め下方に向かって下り傾斜するように取り付けられる。
このとき、キャップ100は、図２及び図６に示すように、矢印のマークが上方を向き、くぼみ部103が下方を向くように取り付けられる。
【０１０３】
（エア抜き作用）
ケース20内のエア抜きは、ケース本体90の穴であるエア抜き部114を通じて行われる。
すなわち、エア抜き部114から出た空気は、図１に示すように、ケース本体90とキャップ100との間に形成される第１エア流路130、第２エア流路131を通って、キャップ100の水抜き部122から排気される。
【０１０４】
（水抜き作用）
ケース20内の水抜きは、キャップ100の水抜き部122から水流下方向ｂに向かって流下して排水される。
すなわち、ケース本体90内、キャップ100内或いは両者の間に仮に水が浸入した際には、ケース本体90の穴であるエア抜き部114、ケース本体90とキャップ100との間に形成される第１エア流路130、第２エア流路131を通って、キャップ100の水抜き部122から排水される。
【０１０５】
（第２の実施の形態）
図５１〜図６１を用いて、本発明の第２の実施の形態について説明する。
本実施の形態の特徴は、先に図１〜図５０を用いて説明した第１の実施の形態のキャップ100を省いた点である。
本実施の形態によれば、第１の実施の形態と比較し、キャップ100を省くことができることから、ケース200の構造を簡便化できる。
【０１０６】
プッシュリフター10は、図５１に示すように、大別すると、次のパーツを備える。
なお、本実施の形態の説明においては、第１の実施の形態と同一の構成部分について同一の符号を用い、説明を省略する。
（１）ケース200
（２）プッシュロッド30
（３）スプリング40（付勢手段）
（４）インナー50
（５）回転カム60
（６）スリーブ70
（７）ブーツ80
なお、プッシュリフター10のパーツは、上記した（１）〜（７）に限定されず、止水用のＯリングなどを他のパーツを備えていてもよい。
【０１０７】
（ケース200）
ケース200は、図５１〜図５８に示すように、車体側（図示せず）に固定される筒形のものである。ケース200は、一端部が開口し、他端部が後述する底壁211で塞がれた角筒形に形成されている。
ケース200は、適度な弾性と剛性とを有する熱可塑性合成樹脂、例えばＰＯＭにより一体的に構成されている。
【０１０８】
ケース200には、図５１〜図５８に示すように、次の各部を備える。
なお、次の（１）〜（５）については後述する。
（１）フランジ部201
（２）胴体部202
（３）車体取付爪203
（４）インナー取付穴204
（５）下部205
【０１０９】
（フランジ部201）
フランジ部201は、図５１〜図５８に示すように、ケース200の開口側に位置し、その端部から平面が四角いリング状に張り出している。
【０１１０】
（胴体部202）
胴体部202は、図５１に示すように、フランジ部201から中空の角筒形に形成されている。
【０１１１】
（車体取付爪203）
車体取付爪203は、図５１に示すように、胴体部202の背向する側面から爪状に一対張り出し、フランジ部201から離れて対向する。ケース200は、図示しないが、一対の車体取付爪203により、車体側（図示せず）に回転不能に固定される
【０１１２】
（インナー取付穴204）
インナー取付穴204は、図５１に示すように、胴体部202の背向する側面、すなわち車体取付爪203と９０度位相を異ならせ、方形の穴状に形成されている。インナー50は、図５７に示すように、胴体部202の中空部内に挿入され、インナー50のケース取付爪53が内部からインナー取付穴204内にはまり込み、胴体部202の中空部内にインナー50が回転不能に固定される。
【０１１３】
（下部205）
下部205は、図５７に示すように、ケース200の閉塞された後述する底壁211側に位置し、車体側に対するケース200の取り付け状態において、下側に位置する。
下部205には、図５５、図５７、図５８及び図６１に示すように、次の各部を備える。
なお、次の（１）〜（６）について後述する。
（１）内周壁210
（２）底壁211
（３）折り返し部212
（４）外周壁213
（５）水抜き部214
（６）エア抜き部215
【０１１４】
（内周壁210）
内周壁210は、図５５及び図５７に示すように、筒形のものである。
【０１１５】
（底壁211）
底壁211は、図５５及び図５７に示すように、当該内周壁210の底を塞ぐものである。
【０１１６】
（折り返し部212）
折り返し部212は、図５７に示すように、内周壁210において、底壁211が連続する下縁部と逆側の上縁部に位置し、当該内周壁210から半径方向外向きに環状に延びるものである。
【０１１７】
（外周壁213）
外周壁213は、図５５及び図５７に示すように、当該折り返し部212に連続し、内周壁210と離れて当該内周壁210の周囲を取り囲むものである。
【０１１８】
（水抜き部214）
水抜き部214は、図５５及び図５７に示すように、内周壁210と外周壁213との間に位置し、底壁211側に向かって底が開放し、車体側に対するケース200の取り付け状態において、開放面に向かって排水可能なものである。
ここで、「車体側に対するケース200の取り付け状態」は、図５７に示すように、ブーツ80側が取付上方向ｃに位置し、ケース200側が下側に位置する。
例えば、ブーツ80側は、上方に位置し、ケース200の底壁211側が斜め下方に向かって下り傾斜するように取り付けられ、ケース200内に水が浸入した際に、水抜き部214の内部を開放面に向かって流下し、当該開放面から排水されるように構成されている。
【０１１９】
（エア抜き部215）
エア抜き部215は、図５５に示すように、折り返し部212に位置し、内周壁210の内部と水抜き部214と連通するものである。
ここで、エア抜き部215は、図示しないが、車体側に対するケース200の取り付け状態において、水抜き部214の開放面に対して、上側に位置する。
【０１２０】
（プッシュリフター10の伸張状態）
つぎに、上記構成を備えた組み立て状態のプッシュリフター10の伸縮動作について説明する。
まず、プッシュリフター10の伸張状態においては、ロック手段のロック解除状態にあり、図５７及び図５８に示すように、プッシュロッド30の中間凸部31が、ケース200内においてスプリング40の付勢力により、スリーブ70、回転カム60を介して押され、上側ロッド部32がケース200から突出する。
上側ロッド部32が突出することで、ブーツ80を介して、フューエルリッド（図示せず）を押し開く。このため、押し開かれかれたフューエルリッド（図示せず）を、手動で開放することができる。
【０１２１】
（プッシュリフター10の短縮状態）
これに対し、プッシュリフター10の伸張状態から短縮状態に移行させるには、スプリング40（付勢手段）の付勢力に抗して、フューエルリッド（図示せず）を介して、或いは直接、プッシュロッド30をケース200内に押し込めばよい。
プッシュロッド30が押し込まれると、その中間凸部31及び回転カム60が、インナー50の貫通孔54中を奥に向かって後退する。
回転カム60が貫通孔54中を奥に向かって後退すると、貫通孔54から抜けで回転可能となる。
【０１２２】
このとき、回転カム60の可動側カム部62と、プッシュロッド30の固定側カム部35とのかみ合いにより、回転カム60が回転し、その係合突起61がインナー50のロック部56に達する。
この状態で、プッシュロッド30を押し込む力が解放されると、回転カム60が、スリーブ70を介して、スプリング40（付勢手段）の付勢力により押し戻されて前進することで、その係合突起61がロック部56の係止溝57にはまり込み、ロック手段がロック状態となる。
このため、スプリング40（付勢手段）の付勢力がインナー50のロック部56により受け止められ、図６１に示すように、プッシュリフター10が短縮状態を維持する。
【０１２３】
（ロック手段のロック状態の解除）
プッシュリフター10を、再度、伸張させるには、フューエルリッド（図示せず）を介して、或いは直接、プッシュロッド30をケース200内に向かって、少し押し込めばよい。
プッシュロッド30が押し込まれると、その中間凸部31及び回転カム60が、インナー50の貫通孔54中を奥に向かって後退する。
インナー50が後退すると、回転カム60の係合突起61がロック部56の係止溝57から浮上し、回転カム60が回転可能となる。
【０１２４】
このとき、回転カム60の可動側カム部62と、プッシュロッド30の固定側カム部35とのかみ合いにより、回転カム60が回転し、その係合突起61がインナー50のスライド溝55に臨み、ロック手段のロック状態が解除される。
この状態で、プッシュロッド30を押し込む力が解放されると、回転カム60が、スリーブ70を介して、スプリング40（付勢手段）の付勢力により押し戻されて前進する。
【０１２５】
このとき、回転カム60の係合突起61がインナー50のスライド溝55内をスライドする。
このため、プッシュロッド30の中間凸部31が、ケース200内においてスプリング40の付勢力により、図５７に示すように、スリーブ70、回転カム60を介して押され、上側ロッド部32がケース200から突出し、プッシュリフター10が、再度、伸張状態となる。
【０１２６】
（プッシュリフター10の取付位置）
プッシュリフター10は、車体側に対するケース200の取り付け状態において、図５７に示すように、ブーツ80側が取付上方向ｃに位置し、ケース200側が下側に位置する。
具体的には、ブーツ80側は、上方に位置し、ケース200の底壁211側が斜め下方に向かって下り傾斜するように取り付けられる。
このとき、キャップ100は、図５２及び図５４に示すように、矢印のマークが上方を向き、後述するくぼみ部103が下方を向くように取り付けられる。
【０１２７】
（エア抜き作用）
ケース200内のエア抜きは、図５５に示すケース200の穴であるエア抜き部215を通じて行われる。
すなわち、エア抜き部215から出た空気は、図５７に示すように、内周壁210と外周壁213との間に形成された水抜き部214から排気される。
【０１２８】
（水抜き作用）
ケース200内の水抜きは、水抜き部214を通じて排水される。
すなわち、ケース200内に仮に水が浸入した際には、ケース200の穴であるエア抜き部215を通って、水抜き部214から排水される。
【符号の説明】
【０１２９】
（第１の実施の形態）
10  プッシュリフター      20  ケース
30  プッシュロッド        31  中間凸部
32  上側ロッド部          33  下側ロッド部
34  スライド突起          35  固定側カム部
36  ブーツ取付凹部        37  スリーブ取付凹部
40  スプリング（付勢手段）
50  インナー              51  蓋部
52  円筒部                53  ケース取付爪
54  貫通孔                55  スライド溝
56  ロック部（ロック手段）    57  係止溝
60  回転カム
61  係合突起（ロック手段）    62  可動側カム部
70  スリーブ
71  突縁部                72  本体部
73  スリット              74  ロッド取付爪
80  ブーツ
81  ロッド取付凸部        82  ケース取付凸部
90  ケース本体            91  フランジ部
92  胴体部                93  車体取付爪
94  インナー取付穴        95  下部
96  弾性片                97  キャップ取付穴
100  キャップ            101  ガイド溝
102  ケース取付爪        103  くぼみ部
110  内周壁
111  底壁                112  折り返し部
113  外周壁              114  エア抜き部
120  底部
121  側部                122  水抜き部
123  溝部                124  開口部
130  第１エア流路        131  第２エア流路
ａ  取付上方向            ｂ  水流下方向
（第２の実施の形態）
200  ケース              201  フランジ部
202  胴体部              203  車体取付爪
204  インナー取付穴      205  下部
210  内周壁              211  底壁
212  折り返し部          213  外周壁
214  水抜き部            215  エア抜き部
ｃ  取付上方向
【図１】
2019147511.tif 000003
【図２】
2019147511.tif 000004
【図３】
2019147511.tif 000005
【図４】
2019147511.tif 000006
【図５】
2019147511.tif 000007
【図６】
2019147511.tif 000008
【図７】
2019147511.tif 000009
【図８】
2019147511.tif 000010
【図９】
2019147511.tif 000011
【図１０】
2019147511.tif 000012
【図１１】
2019147511.tif 000013
【図１２】
2019147511.tif 000014
【図１３】
2019147511.tif 000015
【図１４】
2019147511.tif 000016
【図１５】
2019147511.tif 000017
【図１６】
2019147511.tif 000018
【図１７】
2019147511.tif 000019
【図１８】
2019147511.tif 000020
【図１９】
2019147511.tif 000021
【図２０】
2019147511.tif 000022
【図２１】
2019147511.tif 000023
【図２２】
2019147511.tif 000024
【図２３】
2019147511.tif 000025
【図２４】
2019147511.tif 000026
【図２５】
2019147511.tif 000027
【図２６】
2019147511.tif 000028
【図２７】
2019147511.tif 000029
【図２８】
2019147511.tif 000030
【図２９】
2019147511.tif 000031
【図３０】
2019147511.tif 000032
【図３１】
2019147511.tif 000033
【図３２】
2019147511.tif 000034
【図３３】
2019147511.tif 000035
【図３４】
2019147511.tif 000036
【図３５】
2019147511.tif 000037
【図３６】
2019147511.tif 000038
【図３７】
2019147511.tif 000039
【図３８】
2019147511.tif 000040
【図３９】
2019147511.tif 000041
【図４０】
2019147511.tif 000042
【図４１】
2019147511.tif 000043
【図４２】
2019147511.tif 000044
【図４３】
2019147511.tif 000045
【図４４】
2019147511.tif 000046
【図４５】
2019147511.tif 000047
【図４６】
2019147511.tif 000048
【図４７】
2019147511.tif 000049
【図４８】
2019147511.tif 000050
【図４９】
2019147511.tif 000051
【図５０】
2019147511.tif 000052
【図５１】
2019147511.tif 000053
【図５２】
2019147511.tif 000054
【図５３】
2019147511.tif 000055
【図５４】
2019147511.tif 000056
【図５５】
2019147511.tif 000057
【図５６】
2019147511.tif 000058
【図５７】
2019147511.tif 000059
【図５８】
2019147511.tif 000060
【図５９】
2019147511.tif 000061
【図６０】
2019147511.tif 000062
【図６１】
2019147511.tif 000063